(57)【特許請求の範囲】
【請求項１】
端末部同士が互いに同軸状をなし且つ軸線方向に間隔を空けて対向するように配索される２本の電線と、
前記２本の電線の前記端末部に接続された一対の端子金具と、
前記端子金具に接続されたフィルタ素子と、
接地部に接地されるアース部材を構成し、前記端末部の軸線方向における形成範囲が前記一対の端子金具の全体と前記フィルタ素子の全体とを含む領域に亘る平板状の板状本体と、
前記フィルタ素子の外径と前記端子金具の外径との寸法差により前記板状本体と前記端子金具との間に形成されたスペースと、
前記スペース内に配され、前記端子金具と前記アース部材に接続されたコンデンサとを備え、
前記フィルタ素子の少なくとも一部が、前記一対の端子金具の間に位置し、且つ前記端末部の軸線と直交する投影面上において前記端末部及び前記端子金具と重なる形態となっていることを特徴とするノイズフィルタ付き導電路。
【請求項２】
前記フィルタ素子が、螺旋巻き部を有し且つ前記螺旋巻き部の軸線を前記端末部と略平行に向けたコイルを含んでおり、
前記螺旋巻き部の両端から延出した接続端部が、前記螺旋巻き部の軸線と略平行をなし且つ軸線と直交する投影面上において前記螺旋巻き部の形成範囲内に配された形態で前記端子金具に接続されていることを特徴とする請求項１記載のノイズフィルタ付き導電路。
【請求項３】
前記スペースが、前記端子金具の外径と前記螺旋巻き部の外径との寸法差に起因して形成されていることを特徴とする請求項２記載のノイズフィルタ付き導電路。
【請求項４】
前記端子金具に形成され、前記端末部にカシメ付けによって固着される圧着部と、
前記コンデンサから延出したリード線とを備え、
前記リード線が、前記端末部と共に前記圧着部に固着されていることを特徴とする請求項１ないし請求項３のいずれか１項に記載のノイズフィルタ付き導電路。
【発明の詳細な説明】
【技術分野】
【０００１】
本発明は、ノイズフィルタ付き導電路に関するものである。
【背景技術】
【０００２】
特許文献１には、電線に接続された一対の端子金具と、この両端子金具に接続されてフィルタ素子として機能するコイルとを備えたノイズフィルタが開示されている。一対の端子金具は、それぞれに接続された電線が同軸状に並ぶように配置されている。コイルは、その軸線を電線の軸線と平行に向けた姿勢で、端子金具と横並びするように配置されている。
【先行技術文献】
【特許文献】
【０００３】
【特許文献１】特許第４５２４３１８号公報
【発明の概要】
【発明が解決しようとする課題】
【０００４】
コイルと端子金具は、電線の軸線と交差する方向に位置ずれして配置されている。そのため、電線によって構成される細長い導電路には、コイルによって外周側へ瘤状に突出した膨出部が存在することになる。しかも、膨出部は、導電路と同心状ではなく、導電路の軸線に対して偏心して膨らんでいる。このような導電路は、膨出部の近傍がデッドスペースとなる、あるいは、パネルの孔に挿通する際に膨出部が引っ掛かり易い等の問題がある。
【０００５】
本発明は上記のような事情に基づいて完成されたものであって、フィルタ素子による局部的な膨らみを小さく抑えることを目的とする。
【課題を解決するための手段】
【０００６】
本発明のノイズフィルタ付き導電路は、
端末部同士が互いに同軸状をなし且つ軸線方向に間隔を空けて対向するように配索される２本の電線と、
前記２本の電線の前記端末部に接続された一対の端子金具と、
前記端子金具に接続されたフィルタ素子と、
接地部に接地されるアース部材を構成し、前記端末部の軸線方向における形成範囲が前記一対の端子金具の全体と前記フィルタ素子の全体とを含む領域に亘る平板状の板状本体と、
前記フィルタ素子の外径と前記端子金具の外径との寸法差により前記板状本体と前記端子金具との間に形成されたスペースと、
前記スペース内に配され、前記端子金具と前記アース部材に接続されたコンデンサとを備え、
前記フィルタ素子の少なくとも一部が、前記一対の端子金具の間に位置し、且つ前記端末部の軸線と直交する投影面上において前記端末部及び前記端子金具と重なる形態となっているところに特徴を有する。
【発明の効果】
【０００７】
フィルタ素子の少なくとも一部が、一対の端子金具の間に位置し、且つ端末部の軸線と直交する投影面上において端末部及び端子金具と重なる形態となっているので、フィルタ素子が端子金具や端末部よりも大径であっても、フィルタ素子による局部的な膨らみを小さく抑えることができる。
【図面の簡単な説明】
【０００８】
【図１】実施例１のノイズフィルタ付き導電路の側面図
【発明を実施するための形態】
【０００９】
（１）本発明のノイズフィルタ付き導電路は、
前記フィルタ素子が、螺旋巻き部を有し且つ前記螺旋巻き部の軸線を前記端末部と略平行に向けたコイルを含んでおり、
前記螺旋巻き部の両端から延出した接続端部が、前記螺旋巻き部の軸線と略平行をなし且つ軸線と直交する投影面上において前記螺旋巻き部の形成範囲内に配された形態で前記端子金具に接続されていてもよい。  
この構成によれば、端子金具と端末部のほぼ全体が、螺旋巻き部の形成範囲内に収まるので、コイルによる局部的な膨らみが小さく抑えられる。
【００１０】
（２）本発明のノイズフィルタ付き導電路は、（１）において、
前記スペースが、前記端子金具の外径と前記螺旋巻き部の外径との寸法差に起因して形成されていてもよい。
この構成によれば、コンデンサの存在に起因する局部的な膨らみの発生を回避できる。
【００１１】
（３）本発明のノイズフィルタ付き導電路は、
前記端子金具に形成され、前記端末部にカシメ付けによって固着される圧着部と、
前記コンデンサから延出したリード線とを備え、
前記リード線が、前記端末部と共に前記圧着部に固着されていてもよい。
この構成によれば、リード線と端子金具との接続を、溶接によらずに行うことができる。
【００１２】
＜実施例１＞
以下、本発明を具体化した実施例１を図１を参照して説明する。本実施例のノイズフィルタ付き導電路Ｎは、導電路本体１０と、導電路本体１０の途中に接続したノイズフィルタ２０と、モールド樹脂３５とを備えて構成され、全体として細長く延びた形態となっている。ノイズフィルタ付き導電路Ｎは、ノイズフィルタ２０を構成するアース部材２９を介して自動車のボディ等の接地部Ｂに接続されるようになっている。
【００１３】
導電路本体１０は、２本の電線１１と一対の端子金具１５とを備えて構成されている。電線１１は、導体１２の外周を絶縁被覆１３で包囲した周知形態のものである。各電線１１の端末部１４は、絶縁被覆１３が除去されて導体１２を露出させた状態となっている。両電線１１の端末部１４は、互いにその軸線１４Ａ同士を同軸状とし、且つ互いに軸線１４Ａ方向に間隔を空けて対向する位置関係で配置されている。
【００１４】
端子金具１５は、全体として端末部１４の軸線１４Ａに沿った方向に細長く、オープンバレル状の圧着部１６と、板状溶接部１９とを一体に成形した形態である。圧着部１６は、オープンバレル状のインシュレーションバレル部１７と、オープンバレル状のワイヤバレル部１８とから構成されている。板状溶接部１９は、圧着部１６の基板部の先端部から片持ち状に延出した形態であり、板面が段差状をなすように屈曲した形状をなしている。圧着部１６の基板部は、電線１１の外周面に接触しているため、電線１１の軸線１４Ａに対し径方向（図１における上方）へ偏心した位置にある。しかし、板状溶接部１９は段差状に屈曲しているので、板状溶接部１９の延出端部（後述するコイル２１の接続端部２３が半田２４によって溶接される位置）は、径方向において軸線１４Ａに近い位置又は軸線１４Ａと重なるように位置する。
【００１５】
電線１１の端末部１４と端子金具１５の圧着部１６は、導通可能に、且つ軸線１４Ａ，１６Ａ同士が同軸状をなすように固着されている。即ち、インシュレーションバレル部１７には、端末部１４のうち絶縁被覆１３の端部が圧着されている。このインシュレーションバレル部１７の圧着工程では、同時に、端末部１４のうち露出している導体１２がワイヤバレル部１８に圧着される。
【００１６】
上記のようにして一対の端子金具１５は、２本の電線１１の端末部１４に個別に接続されている。そして、一対の端子金具１５は、互いに圧着部１６の軸線１６Ａ同士が同軸状をなし、且つ双方の板状溶接部１９同士が互いに軸線１６Ａ方向に間隔を空けて対向する位置関係で配置されている。軸線１６Ａ方向において一対の端子金具１５の間に空けられた空間には、後述するコイル２１が収容されている。
【００１７】
ノイズフィルタ２０は、１つのコイル２１と、２つのコンデンサ２５と、１つのアース部材２９とを備えて構成されている。コイル２１とコンデンサ２５は、π型フィルタを構成している。コイル２１は、金属線材を螺旋巻きした形態の螺旋巻き部２２と、螺旋巻き部２２の両端から延出する一対の接続端部２３とから構成されている。コイル２１は、螺旋巻き部２２の軸線２２Ａが端末部１４及び圧着部１６の軸線１４Ａ，１６Ａと平行をなすように配されている。螺旋巻き部２２は、端末部１４の軸線１４Ａ方向において一対の端子金具１５（端末部１４）の間に位置するように配置されている。また、螺旋巻き部２２の軸線２２Ａは、端末部１４及び圧着部１６の軸線１４Ａ，１６Ａとほぼ同軸状（つまり、ほぼ平行）をなしている。
【００１８】
一対の接続端部２３は、螺旋巻き部２２の軸線２２Ａと平行に延出している。この一対の接続端部２３は、板状溶接部１９に対し、半田２４を用いた溶接により個別に接続されている。つまり、接続端部２３は、軸線２２Ａと直交する投影面（図示省略）上において螺旋巻き部２２の円形の形成範囲内に配された形態で端子金具１５に接続されている。そして、螺旋巻き部２２は、端末部１４及び圧着部１６の軸線１４Ａ，１６Ａと直交する投影面上において、端末部１４及び圧着部１６の外周よりも外側の領域を占めるように位置する。以上のようにして、２本の電線１１の端末部１４と、一対の端子金具１５と、コイル２１が、端末部１４の軸線１４Ａに沿うようにほぼ一列に並ぶように配置されている。
【００１９】
コンデンサ２５は、コイル２１の比べて充分に小さいコンデンサ本体２６と、コンデンサ本体２６の両端から延出する一対のリード線２７とを備えて構成されている。コンデンサ本体２６は、ワイヤバレル部１８の外面に近傍に配されている。つまり、端末部１４及び圧着部１６の軸線１４Ａ，１６Ａと平行な方向において、ワイヤバレル部１８とコンデンサ本体２６がほぼ同じ位置に配置されている。つまり、コンデンサ本体２６は、軸線１４Ａ，１６Ａ方向においてコイル２１とは異なる領域に配置されている。
【００２０】
一方のリード線２７は、電線１１の導体１２と共に、ワイヤバレル部１８に圧着されている。リード線２７は、導体１２を構成する金属素線と線径が大きく相違しないので、圧着部１６との接触信頼性に優れている。また、ワイヤバレル部１８におけるカシメ強度も充分高く確保されている。他方のリード線２７は、後述するアース部材２９に半田２８を用いた溶接によって接続されている。
【００２１】
アース部材２９は、金属製の板状本体３０と、合成樹脂製のスペーサ３１と、合成樹脂製の一対のホルダ３２とを備えて構成されている。板状本体３０は、端末部１４及び螺旋巻き部２２の軸線１４Ａ，２２Ａと平行な方向に細長く平板状に延びた形態である。板状本体３０の長さ方向における一方の（図１における右側）の端部は、ボルト３４によってアース部材２９を接地部Ｂに取り付けるためのブラケット３３となっている。端末部１４及び螺旋巻き部２２の軸線１４Ａ，２２Ａと平行な方向において、板状本体３０の形成範囲は、一対の端子金具１５の全体とコイル２１の全体を含む領域に亘っている。つまり、板状本体３０の一方の端部は、一方の端子金具１５と対応するように位置し、板状本体３０の他方の端部は、他方の端子金具１５と対応するように位置する。
【００２２】
板状本体３０は、螺旋巻き部２２の外周に沿うように配されているの。スペーサ３１は、板状本体３０の長さ方向における略中央部に配され、インサート成形等によって板状本体３０と一体化されている。スペーサ３１は、板状本体３０と螺旋巻き部２２との間に介在することにより、螺旋巻き部２２と板状本体３０との間を電気的に絶縁している。また、スペーサ３１は、螺旋巻き部２２の外周を当接させることで、コイル２１をアース部材２９に対して位置決めしている。
【００２３】
一対のホルダ３２は、板状本体３０の両端部に配され、インサート成形等によって板状本体３０と一体化されている。各ホルダ３２には、夫々、コンデンサ本体２６が収容されている。このホルダ３２により、コンデンサ２５がアース部材２９に対して位置決めされている。また、板状本体３０と端子金具１５との間には、圧着部１６の外径と螺旋巻き部２２の外径との寸法差に起因するスペースＳが形成されているのであるが、このスペースＳ内に、ホルダ３２とコンデンサ２５が配置されている。
【００２４】
次に、本実施例のノイズフィルタ付き導電路Ｎの製造工程を説明する。まず、端子金具１５の圧着部１６に、電線１１の端末部１４とコンデンサ２５のリード線２７を固着する。このとき、圧着部１６に接続するリード線２７を真っ直ぐ伸ばした状態にして、コンデンサ本体２６が板状溶接部１９よりも先方に位置するようにしておく。この後、端子金具１５に圧着したリード線２７を略Ｌ字形に曲げ（図示省略）、コンデンサ本体２６をアース部材２９のホルダ３２に取り付ける。すると、端子金具１５と端末部１４が、板状本体３０に対して略直角をなして離間した位置へ退避した状態となる。この状態で、他方のリード線２７を板状本体３０に半田２８により固着する。
【００２５】
リード線２７をアース部材２９に接続した後、端子金具１５に接続されている側のリード線２７を略Ｕ字形に曲げ、図１に示すように、ワイヤバレル部１８をコンデンサ本体２６に接近した位置へ変位させる。すると、各電線１１の端末部１４の軸線１４Ａが板状本体３０と略平行を向き、２つの端末部１４が、その軸線１４Ａを互いに同軸状に向け、且つ互いに間隔を空けて対向する位置関係となる。この状態で、コイル２１の螺旋巻き部２２をスペーサ３１に当接するようにセットするとともに、一対の接続端部２３を板状溶接部１９と並ぶように配置する。そして、接続端部２３と板状溶接部１９を半田２４により固着する。
【００２６】
以上のようにして２本の電線１１の端末部１４と一対の端子金具１５と２つのコンデンサ２５と１つのコイル２１とアース部材２９を組み付けたら、これを金型（図示省略）にセットする。そして金型内にモールド樹脂３５を充填すると、モールド樹脂３５内に２本の電線１１の端末部１４と一対の端子金具１５と２つのコンデンサ２５と１つのコイル２１が埋設されるとともに、アース部材２９がモールド樹脂３５と一体化される。以上により、ノイズフィルタ付き導電路Ｎの製造工程が完了する。
【００２７】
本実施例のノイズフィルタ付き導電路Ｎは、端末部１４同士が互いに同軸状をなし且つ軸線１４Ａ方向に間隔を空けて対向するように配索される２本の電線１１と、２本の電線１１の端末部１４に接続された一対の端子金具１５と、端子金具１５に接続されたフィルタ素子としてのコイル２１とを備える。コイル２１の螺旋巻き部２２（フィルタ素子の少なくとも一部）は、一対の端子金具１５の間に位置し、端末部１４の軸線１４Ａと交差する方向において端末部１４及び端子金具１５と重なる形態となっている。
【００２８】
本実施例のノイズフィルタ付き導電路Ｎは、コイル２１（フィルタ素子）が端子金具１５や端末部１４よりも大径であるため、その寸法差によって部分的に外径が導電路本体１０よりも大きくなる大径部が形成されることは避けられない。しかし、コイル２１の少なくとも一部（螺旋巻き部２２の中空部）が、一対の端子金具１５の間に位置し、且つ端末部１４の軸線１４Ａと交差する方向（軸線１４Ａと直交する投影面上）において端末部１４及び端子金具１５と重なる形態となっている。したがって、コイル２１による局部的な膨らみを小さく抑えることができる。
【００２９】
また、フィルタ素子は、螺旋巻き部２２を有し且つ螺旋巻き部２２の軸線２２Ａを端末部１４と略平行に向けたコイル２１を含んでおり、螺旋巻き部２２の両端から延出した接続端部２３が、螺旋巻き部２２の軸線２２Ａと略平行をなし且つ軸線２２Ａと直交する投影面上において螺旋巻き部２２の形成範囲内に配された形態で端子金具１５に接続されている。そして、接続端部２３が接続される板状溶接部１９の延出端部は、径方向において電線１１の軸線１４Ａに近い位置又は軸線１４Ａと重なるように位置している。つまり、コイルの軸線２２Ａと電線１１の軸線１４Ａとはほぼ同軸状に位置している。この構成によれば、端子金具１５と端末部１４のほぼ全体が、螺旋巻き部２２の形成範囲内に収まるので、コイル２１による局部的な膨らみが小さく抑えられる。
【００３０】
また、ノイズフィルタ付き導電路Ｎは、接地部Ｂに接続されるアース部材２９と、端子金具１５とアース部材２９に接続されるコンデンサ２５とを含んでいる。そして、端末部１４の軸線１４Ａと交差する方向において、コンデンサ２５が、端末部１４の軸線１４Ａとアース部材２９との間のスペースＳ内に収容されている。この構成によれば、コンデンサ２５の存在に起因する局部的な膨らみの発生を回避できる。
【００３１】
また、端子金具１５には、端末部１４にカシメ付けによって固着される圧着部１６が形成され、この圧着部１６には、コンデンサ２５のリード線２７が、端末部１４と共に圧着部１６に固着されている。したがって、リード線２７と端子金具１５との接続を、溶接によらずに行うことができる。
【００３２】
＜他の実施例＞
本発明は上記記述及び図面によって説明した実施例に限定されるものではなく、例えば次のような実施例も本発明の技術的範囲に含まれる。  
（１）上記実施例では、ノイズフィルタを構成するフィルタ素子としてコイルを用いたが、ノイズフィルタはコイルを含まなくてもよい。  
（２）上記実施例では、ノイズフィルタを構成するフィルタ素子としてコンデンサを用いたが、ノイズフィルタはコンデンサを含まなくてもよい。  
（３）上記実施例では、ノイズフィルタが１つのコイルと２つのコンデンサとからなるπ型フィルタであったが、ノイズフィルタは、１つのコイルと１つのコンデンサからなるＬ型フィルタや、２つのコイルと１つのコンデンサとからなるＴ型フィルタであってもよい。  
（４）上記実施例では、ノイズフィルタがコイルとコンデンサとを含んで構成されているが、ノイズフィルタは、コイルを含まず、コンデンサと抵抗とを直列接続したものであってもよい。  
（５）上記実施例では、樹脂モールドによってフィルタ素子とアース部材と端子金具を一体化したが、フィルタ素子とアース部材と端子金具を一体化する手段としては、粘着テープを巻き付ける方法や、熱収縮チューブを熱収縮させる方法でも良い。  
（６）上記実施例では、アース部材を単一部品としたが、アース部材を２つのアース構成部品によって構成し、フィルタ素子及び端子金具と一体化させた一方のアース構成部品と、接地部に固定した他方のアース構成部品とを接続してもよい。  
（７）上記実施例では、コンデンサのリード線と端子金具を圧着によって接続したが、リード線と端子金具は溶接によって接続してもよい。
【符号の説明】
【００３３】
Ｂ…接地部
Ｎ…ノイズフィルタ付き導電路
１１…電線
１４…電線の端末部
１４Ａ…端末部の軸線
１５…端子金具
１６…圧着部
２１…コイル（フィルタ素子）
２２…螺旋巻き部
２２Ａ…螺旋巻き部の軸線
２３…接続端部
２５…コンデンサ
２７…リード線
２９…アース部材
【図１】
0006361921.tif 000002